(57)【要約】【課題】携帯電話機において他の携帯電話機の位置情報を同時に複数表示し、また、表示されている位置情報を使用して直ちに他の携帯電話機と連絡を取ることを可能にする。【解決手段】携帯電話機１は、ｉモードサーバ３を通してＩＰサーバ５にアクセスし、データベース４に対し会員登録するための識別番号を送信するとともに会員間のグループ設定を行うための情報を送信する登録機能２１と、ｉモードサーバのｉエリア問合わせサーバ２から自己の位置情報を受信し、ＩＰサーバに送信する送信機能２２と、ＩＰサーバからグループ設定された会員の位置情報を受信する受信機能２３と、この受信した会員の位置情報をディスプレイ１５に表示させる表示機能２４と、会員の位置情報が表示されている状態で会員の指定操作を行うことでその指定した会員との間の連絡を電話やメール、あるいはインスタントメッセージにより可能にする連絡機能２５とを備えている。【選択図】      図４
2005086624.tif 000002
【特許請求の範囲】
【請求項１】
ディスプレイ及び操作部を備えると共に無線基地局及びネットワークを介して通話する通話機能及び通信する通信機能を備えた複数の携帯電話機と、受信可能な待受状態にある携帯電話機の位置を定期的に検出する位置情報サービス機能を含むブラウザフォン・サービスを行うサービスサーバと、登録された各会員の位置情報を格納する記憶部や各会員間におけるグループ設定を行う記憶部を設けたデータベースと、このデータベースに対するアクセスを行うインターネットプロトコルサーバとからなり、
前記各携帯電話機は、前記操作部を使用して前記データベースに対し識別情報を使用して会員登録するための情報を送信するとともに予め電話番号やメールアドレスが登録されている任意の会員間のグループ設定を行うための情報を送信する登録機能と、待受状態において前記サービスサーバの位置情報サービス機能を利用して前記サービスサーバから自己の位置情報を受信し、この受信した位置情報を前記インターネットプロトコルサーバに送信する送信機能と、会員登録し、かつグループ設定することで、前記インターネットプロトコルサーバからグループ設定された会員の位置情報を受信する受信機能と、この受信した各会員の位置情報を前記ディスプレイに表示させる表示機能と、前記ディスプレイに各会員の位置情報が表示されている状態で前記操作部により会員の指定操作を行い、前記通話機能或いは通信機能を動作させることでその指定した会員との間の連絡を電話やメール、あるいはインスタントメッセージにより可能にする連絡機能とを備え、
前記サービスサーバは、待受状態にある携帯電話機の位置を検出すると、その位置情報を該当する携帯電話機に通知する通知機能を備え、
前記インターネットプロトコルサーバは、会員登録された携帯電話機から位置情報を受信すると、前記データベースにアクセスし、その会員の位置情報を格納した記憶部の内容を更新する更新機能と、前記データベースを定期的にアクセスし、会員登録された携帯電話機に対してグループ設定された会員の位置情報を送信する送信機能とを備えたことを特徴とする携帯電話機を使用した連絡システム。
【請求項２】
ディスプレイ及び操作部を備えると共に無線基地局及びネットワークを介して通話する通話機能及び通信する通信機能を備え、さらに、前記操作部を使用してデータベースに対し識別情報を使用して会員登録するための情報を送信するとともに予め電話番号やメールアドレスが登録されている任意の会員間のグループ設定を行うための情報を送信する登録機能と、待受状態においてサービスサーバの位置情報サービス機能を利用して前記サービスサーバから自己の位置情報を受信し、この受信した位置情報をインターネットプロトコルサーバに送信する送信機能と、会員登録し、かつグループ設定することで、前記インターネットプロトコルサーバからグループ設定された会員の位置情報を受信する受信機能と、この受信した各会員の位置情報を前記ディスプレイに表示させる表示機能と、前記ディスプレイに各会員の位置情報が表示されている状態で前記操作部により会員の指定操作を行い、前記通話機能或いは通信機能を動作させることでその指定した会員との間の連絡を電話やメール、あるいはインスタントメッセージにより可能にする連絡機能とを備えたことを特徴とする携帯電話機。
【請求項３】
会員登録された携帯電話機から位置情報を受信すると、登録された各会員の位置情報を格納する記憶部や各会員間におけるグループ設定を行う記憶部を設けたデータベースにアクセスし、その会員の位置情報を格納した記憶部の内容を更新する更新機能と、前記データベースを定期的にアクセスし、会員登録された携帯電話機に対してグループ設定された会員の位置情報を送信する送信機能とを備えたことを特徴とするインターネットプロトコルサーバ。
【請求項４】
ディスプレイ及び操作部を備えると共に無線基地局及びネットワークを介して通話する通話機能及び通信する通信機能を備えた携帯電話機のコンピュータに、
前記操作部を使用してデータベースに対し識別情報を使用して会員登録するための情報を送信するとともに予め電話番号やメールアドレスが登録されている任意の会員間のグループ設定を行うための情報を送信する登録機能と、待受状態においてサービスサーバの位置情報サービス機能を利用して前記サービスサーバから自己の位置情報を受信し、この受信した位置情報をインターネットプロトコルサーバに送信する送信機能と、会員登録し、かつグループ設定することで、前記インターネットプロトコルサーバからグループ設定された会員の位置情報を受信する受信機能と、この受信した各会員の位置情報を前記ディスプレイに表示させる表示機能と、前記ディスプレイに各会員の位置情報が表示されている状態で前記操作部により会員の指定操作を行い、前記通話機能或いは通信機能を動作させることでその指定した会員との間の連絡を電話やメール、あるいはインスタントメッセージにより可能にする連絡機能を実現させるためのプログラム。
【発明の詳細な説明】
【技術分野】
【０００１】
本発明は、携帯電話機を使用した連絡システムに関する。
【背景技術】
【０００２】
従来、携帯電話機を使用した連絡システムは、無線基地局及びネットワークを介して複数の携帯電話機が通信可能になっている状態で、ある携帯電話機において予め登録されている相手の電話番号やメールアドレスを読み出し、電話の場合は電話番号で相手を読み出してから通話機能により相手と通話を行い、電子メールの場合は例えばｉモード(登録商標)と呼ばれるブラウザフォン・サービスを使用して相手にメール通信を行うことで連絡を行うようになっていた。また、携帯電話機として、ｉエリアと呼ばれるｉモード(登録商標)上で使用される位置情報サービスを利用して携帯電話機の現在の位置情報を周辺の店舗情報などと組み合わせてディスプレイに表示する機能を備えたものも知られている。
【発明の開示】
【発明が解決しようとする課題】
【０００３】
しかしながら、従来の携帯電話機を使用した連絡システムでは、電話番号やメールアドレスが登録されている携帯電話機を所持している人について、同時に複数の位置情報を表示させて知らせることや表示されている人の位置情報を使用して直ちにその人と連絡するということができなかった。
【０００４】
そこで本発明は、携帯電話機において、電話番号やメールアドレスが登録されている他の携帯電話機の位置情報を同時に複数表示することができ、また、表示されている位置情報を使用して直ちに他の携帯電話機と連絡を取ることができる携帯電話機を使用した連絡システムを提供する。
【０００５】
また、本発明は、電話番号やメールアドレスが登録されている他の携帯電話機の位置情報を同時に複数表示することができ、また、表示されている位置情報を使用して直ちに他の携帯電話機と連絡を取ることができる携帯電話機を提供する。
【０００６】
また、本発明は、携帯電話機において、電話番号やメールアドレスが登録されている他の携帯電話機の位置情報を同時に複数表示することができるように携帯電話機に対して位置情報を送信するインターネットプロトコルサーバを提供する。
【０００７】
また、本発明は、携帯電話機において、電話番号やメールアドレスが登録されている他の携帯電話機の位置情報を同時に複数表示することを可能にし、また、表示されている位置情報を使用して直ちに他の携帯電話機と連絡を取ることを可能にするプログラムを提供する。
【課題を解決するための手段】
【０００８】
請求項１記載の発明は、ディスプレイ及び操作部を備えると共に無線基地局及びネットワークを介して通話する通話機能及び通信する通信機能を備えた複数の携帯電話機と、受信可能な待受状態にある携帯電話機の位置を定期的に検出する位置情報サービス機能を含むブラウザフォン・サービスを行うサービスサーバと、登録された各会員の位置情報を格納する記憶部や各会員間におけるグループ設定を行う記憶部を設けたデータベースと、このデータベースに対するアクセスを行うインターネットプロトコルサーバとからなり、各携帯電話機は、操作部を使用してデータベースに対し識別情報を使用して会員登録するための情報を送信するとともに予め電話番号やメールアドレスが登録されている任意の会員間のグループ設定を行うための情報を送信する登録機能と、待受状態においてサービスサーバの位置情報サービス機能を利用してサービスサーバから自己の位置情報を受信し、この受信した位置情報をインターネットプロトコルサーバに送信する送信機能と、会員登録し、かつグループ設定することで、インターネットプロトコルサーバからグループ設定された会員の位置情報を受信する受信機能と、この受信した各会員の位置情報をディスプレイに表示させる表示機能と、ディスプレイに各会員の位置情報が表示されている状態で操作部により会員の指定操作を行い、通話機能或いは通信機能を動作させることでその指定した会員との間の連絡を電話やメール、あるいはインスタントメッセージにより可能にする連絡機能とを備え、サービスサーバは、待受状態にある携帯電話機の位置を検出すると、その位置情報を該当する携帯電話機に通知する通知機能を備え、インターネットプロトコルサーバは、会員登録された携帯電話機から位置情報を受信すると、データベースにアクセスし、その会員の位置情報を格納した記憶部の内容を更新する更新機能と、データベースを定期的にアクセスし、会員登録された携帯電話機に対してグループ設定された会員の位置情報を送信する送信機能とを備えた携帯電話機を使用した連絡システムにある。
【０００９】
請求項２記載の発明は、ディスプレイ及び操作部を備えると共に無線基地局及びネットワークを介して通話する通話機能及び通信する通信機能を備え、さらに、操作部を使用してデータベースに対し識別情報を使用して会員登録するための情報を送信するとともに予め電話番号やメールアドレスが登録されている任意の会員間のグループ設定を行うための情報を送信する登録機能と、待受状態においてサービスサーバの位置情報サービス機能を利用してサービスサーバから自己の位置情報を受信し、この受信した位置情報をインターネットプロトコルサーバに送信する送信機能と、会員登録し、かつグループ設定することで、インターネットプロトコルサーバからグループ設定された会員の位置情報を受信する受信機能と、この受信した各会員の位置情報をディスプレイに表示させる表示機能と、ディスプレイに各会員の位置情報が表示されている状態で操作部により会員の指定操作を行い、通話機能或いは通信機能を動作させることでその指定した会員との間の連絡を電話やメール、あるいはインスタントメッセージにより可能にする連絡機能とを備えた携帯電話機にある。
【００１０】
請求項３記載の発明は、会員登録された携帯電話機から位置情報を受信すると、登録された各会員の位置情報を格納する記憶部や各会員間におけるグループ設定を行う記憶部を設けたデータベースにアクセスし、その会員の位置情報を格納した記憶部の内容を更新する更新機能と、データベースを定期的にアクセスし、会員登録された携帯電話機に対してグループ設定された会員の位置情報を送信する送信機能とを備えたインターネットプロトコルサーバにある。
【００１１】
請求項４記載の発明は、ディスプレイ及び操作部を備えると共に無線基地局及びネットワークを介して通話する通話機能及び通信する通信機能を備えた携帯電話機のコンピュータに、操作部を使用してデータベースに対し識別情報を使用して会員登録するための情報を送信するとともに予め電話番号やメールアドレスが登録されている任意の会員間のグループ設定を行うための情報を送信する登録機能と、待受状態においてサービスサーバの位置情報サービス機能を利用してサービスサーバから自己の位置情報を受信し、この受信した位置情報をインターネットプロトコルサーバに送信する送信機能と、会員登録し、かつグループ設定することで、インターネットプロトコルサーバからグループ設定された会員の位置情報を受信する受信機能と、この受信した各会員の位置情報をディスプレイに表示させる表示機能と、ディスプレイに各会員の位置情報が表示されている状態で操作部により会員の指定操作を行い、通話機能或いは通信機能を動作させることでその指定した会員との間の連絡を電話やメール、あるいはインスタントメッセージにより可能にする連絡機能を実現させるためのプログラムにある。
【発明の効果】
【００１２】
本発明の連絡システムは、携帯電話機において、電話番号やメールアドレスが登録されている他の携帯電話機位置情報を同時に複数表示することができ、また、表示されている位置情報を使用して直ちに他の携帯電話機と連絡を取ることができる。
【００１３】
また、本発明の携帯電話機は、電話番号やメールアドレスが登録されている他の携帯電話機の位置情報を同時に複数表示することができ、また、表示されている位置情報を使用して直ちに他の携帯電話機と連絡を取ることができる。
【００１４】
また、本発明のインターネットプロトコルサーバは、携帯電話機において、電話番号やメールアドレスが登録されている他の携帯電話機の位置情報を同時に複数表示することができるように携帯電話機に対して位置情報を送信する。
【００１５】
また、本発明のプログラムは、携帯電話機において、電話番号やメールアドレスが登録されている他の携帯電話機の位置情報を同時に複数表示することを可能にし、また、表示されている位置情報を使用して直ちに他の携帯電話機と連絡を取ることを可能にする。
【発明を実施するための最良の形態】
【００１６】
以下、本発明の一実施の形態を、図面を参照して説明する。  
図１は連絡システムの全体構成を示す図で、複数の携帯電話機１と、位置情報サービス機能を実現するｉエリア（登録商標）問合わせサーバ２を含むブラウザフォン・サービスを行うサービスサーバとしてのｉモード（登録商標）サーバ３、データベース４、このデータベース４に対するアクセスを行うインターネットプロトコルサーバ（以下、ＩＰサーバと称する。）５及び短文のテキストをインスタントメッセージとしてリアルタイムで送信し、相手の携帯電話機１に表示させる機能を実現するＩＭ（インスタントメッセージ）プロキシサーバ６とで構成されている。
【００１７】
前記携帯電話機１は、図２に示すように、制御部本体であるマイクロプロセッサ１１を設け、このマイクロプロセッサ１１に不揮発性メモリや揮発性メモリからなる記憶部１２及び無線通信を行う無線通信部１３を接続すると共にＩ／Ｏポート１４を介して液晶ディスプレイ１５及び各種キーを配置した操作部１６を接続している。前記無線通信部１３にはアンテナ１７が接続されている。
【００１８】
前記無線通信部１３は、通信機能１３ａと通話機能１３ｂを有し、前記マイクロプロセッサ１１に制御されて前記通信機能１３ａにより無線基地局及びネットワークを経由して前記ｉモード（登録商標）サーバ３との電子メールの通信や前記ＩＰサーバ５との情報通信や前記ＩＭプロキシサーバ６とのインスタントメッセージ（ＩＭ）の通信を行うとともに、前記通話機能１３ｂにより無線基地局及びネットワークを経由して電話網による通話行うようになっている。
【００１９】
前記データベース４は、携帯電話機１の識別情報ＩＤを登録することで会員登録を行い、図３に示すように、登録された各会員Ａ，Ｂ，Ｃ，Ｄ，Ｅ，Ｆ，…毎に識別情報と位置情報を格納する記憶部４１や各会員間におけるグループ設定を行う記憶部４２を設けている。前記記憶部４２は、各会員Ａ，Ｂ，Ｃ，Ｄ，Ｅ，Ｆ，…毎にグループ構成する会員の識別情報を設定することで各会員間におけるグループ設定を行うようになっている。
【００２０】
前記ＩＰサーバ５は、会員登録された携帯電話機１からｉモード（登録商標）サーバ３を通して位置情報を受信すると、前記データベース４にアクセスし、その会員の位置情報を格納した記憶部４１の内容を更新する更新機能５１と、前記データベース４を定期的にアクセスし、会員登録された携帯電話機１に対してグループ設定された会員の位置情報を送信する送信機能５２とを備えている。
【００２１】
前記携帯電話機１は、マイクロプロセッサ１１がプログラムに基づいて制御を実行する機能を有するが、特徴ある機能としてｉモード（登録商標）に対応したＪａｖａアプリケーションであるｉアプリ（登録商標）を使用して図４に示す各種機能を実行するようになっている。
【００２２】
すなわち、前記携帯電話機１は、前記操作部１６を使用しｉモード（登録商標）サーバ３を通してＩＰサーバ５にアクセスし、このＩＰサーバ５を経由してデータベース４に対し識別情報、例えば、自己の電話番号を使用して会員登録するための情報を送信するとともに前記記憶部１２に予め登録されている他者の電話番号が前記データベース４に会員として登録されている場合に、その登録されている任意の会員間のグループ設定を行うための情報を送信する登録機能２１と、ｉアプリ（登録商標）での待受状態において前記ｉモード（登録商標）サーバ３のｉエリア（登録商標）問合わせサーバ２の位置情報サービス機能を利用して前記ｉモード（登録商標）サーバ３から自己の位置情報を受信し、この受信した位置情報をｉモード（登録商標）サーバ３を通して前記ＩＰサーバ５に送信する送信機能２２とを備えている。
【００２３】
また、前記携帯電話機１は、前記データベース４に対して会員登録し、かつグループ設定することで、前記ＩＰサーバからｉモード（登録商標）サーバ３を通してグループ設定された会員の位置情報を受信する受信機能２３と、この受信した各会員の位置情報を前記ディスプレイ１５に表示させる表示機能２４と、前記ディスプレイ１５に各会員の位置情報が表示されている状態で前記操作部１６により会員の指定操作を行い、前記無線通信部１３の通信機能１３ａ或いは通話機能１３ｂを動作させることでその指定した会員との間の連絡を電話やメール、あるいはインスタントメッセージにより可能にする連絡機能２５とを備えている。
【００２４】
前記ｉモード（登録商標）サーバ３のｉエリア（登録商標）問合わせサーバ２は、携帯電話機１の位置を検出し、その携帯電話機１がｉアプリ（登録商標）での待受状態にあるときにその携帯電話機１からエリアの問合わせがあると、その携帯電話機１に対してその携帯電話機１が存在するエリアの位置情報を通知する通知機能３１を備えている。
【００２５】
このような構成の連絡システムにおいては、携帯電話機１においてｉアプリ（登録商標）を起動し、この状態で操作部１６を操作して登録機能２１を実行すると、ｉモード（登録商標）サーバ３を通してＩＰサーバ５にアクセスし、このＩＰサーバ５を経由してデータベース４に対し会員登録するための電話番号とは異なる識別番号（ＩＤ）を送信する。また、会員登録した後、記憶部１２に予め登録されている他者の識別番号が前記データベース４に会員として登録されている場合、その登録されている会員の確認を得てグループ設定を行わせるための情報を送信する。
【００２６】
例えば、識別番号Ａの会員が識別番号Ｂ，Ｃ，Ｄ，Ｆの会員の確認を得てグループ設定し、識別番号Ｂの会員が識別番号Ａ，Ｃ，Ｄ，Ｅ，Ｆの会員の確認を得てグループ設定し、識別番号Ｃの会員が識別番号Ａ，Ｂの会員の確認を得てグループ設定し、識別番号Ｄの会員が識別番号Ａ，Ｂ，Ｅ，Ｆの会員の確認を得てグループ設定し、識別番号Ｅの会員が識別番号Ｂ，Ｄの会員の確認を得てグループ設定し、識別番号Ｆの会員が識別番号Ａ，Ｂ，Ｄの会員の確認を得てグループ設定する操作を行うと、データベース４の記憶部４２に登録される内容は図３に示すようになる。
【００２７】
また、携帯電話機１においてｉアプリ（登録商標）を起動しその待受状態においてはディスプレイ１５に待受画面が表示される。待受画面としては、図５の(a)に示すような登録されているマイピクチャ画面とｉモード（登録商標）サーバ３から配信される透過ｇｉｆカレンダーを組み合わせた画面や、図５の(b)に示すようなグループ設定されている会員の顔写真アイコンと位置情報を、番号を付して表示する画面があり、操作部１６によって選択的に表示できるようになっている。
【００２８】
図５の(b)の表示は、ＩＰサーバ５からグループ設定されている会員の顔写真アイコンと位置情報を受信機能２３が受信し、これを表示機能２４がディスプレイ１５に表示させることによって行われる。なお、顔写真アイコンは予めデータベース４に会員の識別情報とともに登録される。
【００２９】
また、この待受画面においては画面下部にテキストをスクロールしながら表示するエリア１５ａがあり、このエリア１５ａに、例えばグループ設定されている友達の誕生日や自分のエリア近辺の防災情報等を表示するようになっている。グループ設定されている友達の誕生日などは予めデータベース４に登録されているものであり、自分のエリア近辺の防災情報はｉモード（登録商標）サーバ３から配信されるものである。
【００３０】
また、携帯電話機１はｉアプリ（登録商標）の待受状態において、図１に示すように、定期的にｉモード（登録商標）サーバ３のｉエリア（登録商標）問合わせサーバ２に自己のエリア問合わせを行う。ｉエリア（登録商標）問合わせサーバ２は携帯電話機１の存在するエリアの位置を検出しその位置情報を通知機能３１によって問合わせのあった携帯電話機１に通知する。携帯電話機１は、ｉエリア（登録商標）問合わせサーバ２から位置情報であるエリアコード返信を受信し、送信機能２２を実行して受信したエリアコードに基づく位置情報通知をｉモード（登録商標）サーバ３を通してＩＰサーバ５に送信する。
【００３１】
位置情報通知を受信したＩＰサーバ５は、更新機能５１を実行し、データベース４にアクセスして記憶部４１の該当する会員の位置情報を更新する。また、ＩＰサーバ５は、送信機能５２により、データベース４を定期的にアクセスし、会員登録された携帯電話機１に対してグループ設定された会員の位置情報を送信する。携帯電話機１はｉアプリ（登録商標）の待受状態において、受信機能２３により、ＩＰサーバ５からグループ設定された会員の位置情報を受信し、この受信した各会員の位置情報を表示機能２４により待受画面としてディスプレイ１５に表示させる。
【００３２】
そして、携帯電話機１では、ディスプレイ１５に図５の(b)に示す待受画面を表示している状態において、ある会員の番号を選択操作すると、図５の(c)に示すようにその会員のアクションを選択できるメニュー、すなわち、顔写真、位置情報及び操作可能な選択画面がクローズアップ表示される。選択画面としては、メール、電話、インスタントメッセージ（ＩＭ）の連絡方法を選択する画面と個人情報登録を選択する画面とからなる。また、この状態で画面の右下端に表示されている「設定」を選択操作すると、図５の(d)に示す設定の選択項目が表示される。そして、この状態で画面の左下端に表示されている「戻る」を選択操作すると、図５の(c)に示す表示画面に戻る。
【００３３】
図５の(c)に示す表示画面において、例えば「メール」を選択操作すると、登録されているその会員のメールアドレスが読み出され、この状態でメッセージを入れて送信操作を行うと、その会員へ電子メールが送信される。電子メールはｉモード（登録商標）サーバ３を経由して行われる。
【００３４】
また、「電話」を選択操作すると、登録されているその会員の電話番号が読み出され電話を掛ける。電話は電話網を経由して行われる。また、「インスタントメッセージ（ＩＭ）」を選択操作すると、その会員へのインスタントメッセージの送信が可能になる。インスタントメッセージはＩＭプロキシサーバ６を経由して行われる。
【００３５】
このように、携帯電話機１においてｉアプリ（登録商標）の待受状態にすることで、電話番号やメールアドレスがクループ登録されている友人等について同時に複数の顔写真のアイコンと共に位置情報を表示することができる。そして、この画面で相手がどこにいるかを確認した後、その相手を選択操作することで相手とメール、電話、インスタントメッセージのどれで連絡するか選択する画面となり、この画面において連絡方法を選択することで相手との連絡が直ちに可能になる。
【００３６】
このように、表示されている人の位置情報を使用して直ちにその人と連絡することができる。従って、グループにおいて互いに頻繁に連絡を密にしたい場合や父母が外出先での子供や老人の動向を知っておきたい場合、あるいは学校の旅行などにおいて先生が生徒の動向を知っておきたい場合などに極めて有用である。
【００３７】
また、図５の(a)に示す待受画面において、グループ設定した中の友人から電子メールを受信すると、図６の(a)に示すようにメール受信を知らせる。また、図５の(b)に示す待受画面において、グループ設定した中の友人から電子メールを受信すると、図６の(b)に示すようにメール受信を知らせる。このような表示を行っている状態でｉモード（登録商標）のメール閲覧機能を選択することで、ディスプレイ１５の表示画面は図６の(c)に示すような受信メールの一覧表示に切替わる。
【００３８】
また、図５の(a)に示す待受画面において、グループ設定した中の友人からインスタントメッセージ（ＩＭ）を受信すると、図７の(a)に示すようにメッセージ受信をフラッシュ表示により知らせる。また、図５の(b)に示す待受画面において、グループ設定した中の友人からインスタントメッセージ（ＩＭ）を受信すると、図７の(b)に示すようにメール受信を知らせる。
【００３９】
このような表示を行っている状態でｉアプリ（登録商標）を活性化しＩＭモードに移行する。これにより、ディスプレイ１５の表示画面は図７の(c)に示すようなインスタントメッセージ（ＩＭ）を交換できる画面に切替わる。このインスタントメッセージ（ＩＭ）を交換できる画面では、グループ設定されている友人において３名以上のメッセージ交換が可能になっており、たとえば、最大６名までメッセージ交換ができる。また、この表示画面では画面の右下端に表示されている「設定」を選択操作すると、図７の(d)に示す設定の選択項目が表示される。そして、この状態で画面の左下端に表示されている「戻る」を選択操作すると、図７の(c)に示す表示画面に戻る。
【００４０】
インスタントメッセージ（ＩＭ）の交換について詳しく述べると、例えばＡ地点にいるＸさんがｉアプリ（登録商標）モードにおいて、ディスプレイ１５の表示画面において図８の(a)に示すようにＢ地点にいるＹさんを認識する。そして、Ｘさんはこの状態で図８の(b)に示すようにＹさんにインスタントメッセージを送信する。
【００４１】
一方、Ｙさんはｉアプリ（登録商標）の待受画面において、図８の(c)に示すようにＡ地点にいるＸさんを認識している。この状態でＸさんからインスタントメッセージを受信すると、図８の(d)に示すようにインスタントメッセージを表示する。この状態でＹさんは図８の(e)に示すようにＸさんからのメッセージに対する返事を入力し、ｉアプリ（登録商標）を活性化しインスタントメッセージをＸさんへ送信する。このようなやり取りにより、インスタントメッセージの交換ができる。
【図面の簡単な説明】
【００４２】
【図１】本発明の一実施の形態に係る連絡システムの全体構成を示す図。
【図２】同実施の形態における携帯電話機の要部構成を示すブロック図。
【図３】同実施の形態におけるデータベースの主な記憶部構成を示すブロック図。
【図４】同実施の形態における携帯電話機の要部機能を示すブロック図。
【図５】同実施の形態の携帯電話機の待受時における通常画面の変化例を示す図。
【図６】同実施の形態の携帯電話機の待受時においてメールを受信したときの画面変化例を示す図。
【図７】同実施の形態の携帯電話機の待受時においてインスタントメッセージを受信したときの画面変化例を示す図。
【図８】同実施の形態の携帯電話機の待受時においてインスタントメッセージを２者間で交換するときの互いの画面変化例を示す図。
【符号の説明】
【００４３】
１…携帯電話機、２…ｉエリア問合わせサーバ、３…ｉモードサーバ、４…データベース、５…ＩＰサーバ、６…ＩＭプロキシサーバ、１１…マイクロプロセッサ、１３…無線通信部、１５…液晶ディスプレイ、１６…操作部。
【図１】
2005086624.tif 000003
【図２】
2005086624.tif 000004
【図３】
2005086624.tif 000005
【図４】
2005086624.tif 000006
【図５】
2005086624.tif 000007
【図６】
2005086624.tif 000008
【図７】
2005086624.tif 000009
【図８】
2005086624.tif 000010